(57)【要約】 【課題】  Ｎ−長鎖アシルアミノ酸及び／又はその塩、特にＮ−長鎖アシル中性アミノ酸及び／又はその塩とヒドロキシプロピルデンプンリン酸を含有し、泡性能、洗浄力、使用感に優れた洗浄剤組成物を提供し、更に、それらを含有する化粧料を提供する。【解決手段】  （A）Ｎ−長鎖アシルアミノ酸及び／又はその塩、特にＮ−長鎖アシル中性アミノ酸及び／又はその塩に（B）ヒドロキシプロピルデンプンリン酸を含有する。また（C）脂肪酸を含有することにより泡立ちの速さを向上させ、さらに（D）アシル酸性アミノ酸エステルを含有することにより乾燥後の保湿感を向上させる。【選択図】  なし【特許請求の範囲】
【請求項１】
（A）N-長鎖アシルアミノ酸及び／又はその塩、（B）ヒドロキシプロピルデンプンリン酸を含有することを特徴とする洗浄剤組成物。
【請求項２】
（A）N-長鎖アシルアミノ酸及び／又はその塩がN-長鎖アシル中性アミノ酸及び／又はその塩であることを特徴とする請求項１記載の洗浄剤組成物。
【請求項３】
（C）脂肪酸を含有することを特徴とする請求項１又は２のいずれかに記載の洗浄剤組成物。
【請求項４】
（D）アシル酸性アミノ酸エステルを含有することを特徴とする請求項１〜３のいずれか一項に記載の洗浄剤組成物。
【請求項５】
該（Ａ）成分のアミノ酸がグリシンであることを特徴とする請求項１〜４のいずれか一項に記載の洗浄剤組成物。
【請求項６】
該（A）成分のアミノ酸がアラニンであることを特徴とする請求項１〜４のいずれか一項に記載の洗浄剤組成物。
【請求項７】
（A）成分と（B）成分の重量比が９９：１〜７０：３０であることを特徴とする請求項１〜６のいずれか一項に記載の洗浄剤組成物。
【請求項８】
請求項１〜７のいずれか一項に記載の洗浄剤組成物を含有する化粧料。
【発明の詳細な説明】
【技術分野】
【０００１】
本発明は、Ｎ−長鎖アシルアミノ酸及び／又はその塩、特にN-長鎖アシル中性アミノ酸及び／又はその塩とヒドロキシプロピルデンプンリン酸を含有する、皮膚及び毛髪に対して低刺激性であり、起泡力や泡保持力の泡性能や、良好な使用感に優れ、メイク汚れ、皮脂汚れに対する洗浄力の高い、洗浄剤組成物に関する。特にN-長鎖アシルアミノ酸及び／又はその塩がN-長鎖アシル中性アミノ酸アミノ酸及び／又はその塩である洗浄剤組成物、更に、脂肪酸を含有する洗浄剤組成物、更にアシル酸性アミノ酸エステルを含有する洗浄剤組成物、並びにそれを含有する化粧料、に関する。
【背景技術】
【０００２】
皮膚又は毛髪洗浄料組成物は、一般にアルキル硫酸塩やアルキルスルホン酸塩等のアニオン界面活性剤を主成分としているが、これらは洗浄力に優れているものの刺激性の点で問題があった。
【０００３】
一方、Ｎ−長鎖アシルアミノ酸及び／又はその塩は、刺激性が少ない素材として有用であることが知られていたが、泡立ちや洗浄力の点においてアミノ酸の種類によっては、特に中性アミノ酸の場合には実用レベルで満足のいくものではなかった。
【０００４】
この問題を解消するべく、N-長鎖アシル中性アミノ酸塩の泡性能を向上させる目的で、N-長鎖アシル中性アミノ酸塩にカチオンポリマーを配合する例（特許文献１）や、アシルグリシン塩にキレート剤と水溶性高分子を配合する例（特許文献２）がある。これらは、N-長鎖アシル中性アミノ酸塩の泡性能を改善したものの、洗浄力の点で十分なものではなかった。また、Ｎ−長鎖アシル中性アミノ酸含有洗浄剤の洗浄機能を向上させる目的で、N-長鎖アシル中性アミノ酸塩にHLB３以上８未満の特定構造を有する非イオン界面活性剤を配合する例（特許文献３）がある。しかし、非イオン界面活性剤の配合により洗浄機能は向上したが必ずしも満足いく泡性能は得られてはいなかった。
【０００５】
そこで、皮膚や毛髪に対して刺激性の低いＮ−長鎖アシルアミノ酸及び／又はその塩、特にＮ−長鎖アシル中性アミノ酸及び／又はその塩を用いた、高い泡性能と高い洗浄力の両面を満足し、かつ使用感に優れた洗浄剤組成物が切に望まれていた。
【０００６】
【特許文献１】特開平５−１５６２９９号公報
【特許文献２】特開平７−３３１２８２号公報
【特許文献３】特開平５−１５６２８８号公報
【発明の開示】
【発明が解決しようとする課題】
【０００７】
本発明の目的は、Ｎ−長鎖アシルアミノ酸及び／又はその塩、特にＮ−長鎖アシル中性アミノ酸及び／又はその塩を含有し優れた泡性能と洗浄力の両面を満足する洗浄剤組成物を提供し、更に優れた使用感を維持した、それらを含有する洗浄料及び化粧料を提供することである。
【課題を解決するための手段】
【０００８】
本発明者らは上記の課題を解決すべく鋭意研究を行った結果、Ｎ−長鎖アシルアミノ酸及び／又はその塩、特にＮ−長鎖アシル中性アミノ酸及び／又はその塩にヒドロキシプロピルデンプンリン酸を含有する洗浄剤組成物が上記目的を達成するものであることを見出し、本発明を完成させた。
【発明の効果】
【０００９】
Ｎ−長鎖アシルアミノ酸及び／又はその塩、特にＮ−長鎖アシル中性アミノ酸及び／又はその塩にヒドロキシプロピルデンプンリン酸を配合することにより、優れた洗浄力と泡性能を併せ持たせることが可能である。本洗浄剤組成物によって、洗浄力と泡性能を保持したまま、Ｎ−長鎖アシルアミノ酸及び／又はその塩、特にＮ−長鎖アシル中性アミノ酸及び／又はその塩を配合させた使用感の良い皮膚又は毛髪等の洗浄料や化粧料を提供できる。
【発明を実施するための最良の形態】
【００１０】
すなわち、本発明は、以下の態様を含む。
［１］  （A）N-長鎖アシルアミノ酸及び／又はその塩、（B）ヒドロキシプロピルデンプンリン酸を含有することを特徴とする洗浄剤組成物。
［２］  （A）N-長鎖アシルアミノ酸及び／又はその塩がN-長鎖アシル中性アミノ酸及び／又はその塩であることを特徴とする［１］記載の洗浄剤組成物。
［３］  （C）脂肪酸を含有することを特徴とする［１］又は［２］のいずれかに記載の洗浄剤組成物。
［４］  （D）アシル酸性アミノ酸エステルを含有することを特徴とする［１］〜[３]のいずれか一項に記載の洗浄剤組成物。
［５］    該（Ａ）成分のアミノ酸がグリシンであることを特徴とする［１］〜［４］のいずれか一項に記載の洗浄剤組成物。
［６］  該（Ａ）成分のアミノ酸がアラニンであることを特徴とする［１］〜［４］のいずれか一項に記載の洗浄剤組成物。
［７］    （A）成分と（B）成分の重量比が９９：１〜７０：３０であることを特徴とする［１］〜［６］のいずれか一項に記載の洗浄剤組成物。
［８］［１］〜［７］のいずれか一項に記載の洗浄剤組成物を含有する化粧料。
【００１１】
本発明において使用される成分（A）であるＮ−長鎖アシルアミノ酸及び／又はその塩、特にＮ−長鎖アシル中性アミノ酸及び／又はその塩は、公知の方法により得られるものでよい。例えば、アミノ酸と脂肪酸ハライドとのショッテンバウマン反応が広く知られている方法である。
【００１２】
成分（Ａ）のアミノ酸としては、グルタミン酸、アスパラギン酸等の酸性アミノ酸、グリシン、アラニン、スレオニン等の中性アミノ酸、アルギニン、リジン、オルニチン等の塩基性アミノ酸が使用できる。これらのアミノ酸はL体、D体又はDL体の何れでも良く、また、これらから選ばれる２種以上の混合体であっても良い。安定性およびアシル化後の素材の使用感が良いという観点で、酸性アミノ酸、中性アミノ酸が好ましく、中性アミノ酸がより好ましい。酸性アミノ酸では、グルタミン酸が好ましい。中性アミノ酸では、グリシン、アラニンが好ましい。
【００１３】
成分（Ａ）のアシル基としては、炭素原子数８〜２２の飽和又は不飽和脂肪酸より誘導される、直鎖または分岐鎖のものを使用できる。例えば、脂肪酸としては、カプリル酸、カプリン酸、ラウリン酸、ミリスチン酸、ステアリン酸、イソステアリン酸、パルミチン酸、オレイン酸、リノール酸、ベヘン酸、ヤシ油脂肪酸、パーム脂肪酸、硬化牛脂脂肪酸、等が挙げられる。これらのうち一種類を使用しても良いし、上記群から選ばれる２種以上を混合して使用しても構わない。特に、泡立ち、泡質が良いという観点から、ヤシ油脂肪酸、ラウリン酸、ミリスチン酸が好ましい。
【００１４】
成分（Ａ）の塩としては特に限定されず、例えば、ナトリウム、カリウム等のアルカリ金属、カルシウム、マグネシウム等のアルカリ土類金属、アルミニウム、亜鉛などの無機塩、あるいはアンモニア、モノエタノールアミン、ジエタノールアミン、トリエタノールアミン等の有機アミンや、アルギニン、リジン等の塩基性アミノ酸等の有機塩が上げられる。これらのうち一種類を使用しても良いし、上記群から選ばれる２種以上を混合して使用しても構わない。入手の容易性、取り扱い性等の観点から、アルカリ金属塩又は有機アミン塩、塩基性アミノ酸が好ましく、ナトリウム、カリウム、トリエタノールアミン、アルギニンが特に好ましい。
【００１５】
本発明において使用される成分（B）であるヒドロキシプロピルデンプンリン酸（CAS番号113894-92-1）は、例えば市販のSTRUCTURE XL(National Starch社製)を用いることができる。
【００１６】
本発明において使用される成分（C）である脂肪酸としては、炭素原子数８〜２２の飽和又は不飽和脂肪酸より誘導される、直鎖または分岐鎖のものを使用できる。例えば、脂肪酸としては、カプリル酸、カプリン酸、ラウリン酸、ミリスチン酸、ステアリン酸、イソステアリン酸、パルミチン酸、オレイン酸、リノール酸、ベヘン酸、ヤシ油脂肪酸、パーム脂肪酸、硬化牛脂脂肪酸、等が挙げられる。これらのうち一種類を使用しても良いし、上記群から選ばれる２種以上を混合して使用しても構わない。特に、泡立ちの速さに優れ、泡立ち、泡質が良いという観点から、ヤシ油脂肪酸、ラウリン酸、ミリスチン酸が好ましい。
【００１７】
本発明において使用される成分（D）であるアシル酸性アミノ酸エステルとしては、例えば市販の「エルデュウ」CL-301(N-ラウロイル-L-グルタミン酸ジ（コレステリル・ベヘニル・オクチルドデシル）味の素(株)社製)、「エルデュウ」CL-202(N-ラウロイル-L-グルタミン酸(コレステリル・オクチルドデシル)味の素(株)社製)、「エルデュウ」PS-203（N-ラウロイル-L-グルタミン酸ジ（フィトステリル・オクチルドデシル）味の素(株)社製）、「エルデュウ」PS-304（N-ラウロイル-L-グルタミン酸ジ（フィトステリル・ベヘニル・オクチルドデシル）味の素(株)社製）などが挙げられる。特に、使用感と保湿感の持続性からN-ラウロイル-L-グルタミン酸ジ（コレステリル・ベヘニル・オクチルドデシル）やN-ラウロイル-L-グルタミン酸ジ（フィトステリル・オクチルドデシル）が好ましい。
【００１８】
本発明において使用される（A）成分と（B）成分の重量比は、９９：１〜７０：３０が通常使用される。（B）成分が１より少ないと泡保持力と洗浄力が弱く、（B）成分が３０より多いと泡量が少なくなるという問題がある。優れた洗浄力と泡性能を併せもつためには、（A）と（B）成分の比は、９７：３〜７５：２５が好ましく、９５：５〜８０：２０がさらに好ましい。
【００１９】
本発明において使用される（A）成分と（C）成分の重量比は、９９：１〜５０：５０が通常使用される。（C）成分が０．１より少ないとさらに優れた洗浄力が得られず、（C）成分が５０より多いと（A）成分本来の使用感が阻害されるという問題がある。優れた泡性能を付与するためには、（A）と（C）成分の比は、９５：５〜７０：３０が好ましく、９０：１０〜８０：２０がさらに好ましい。
【００２０】
本発明において使用される（A）成分と（D）成分の重量比は、９９．９：０．１〜７０：３０が通常使用される。（D）成分が０．１より少ないとさらに優れた洗浄力が得られず、（D）成分が３０より多いと泡性能が阻害されるという問題がある。優れた洗浄力と泡性能を付与するためには、（A）と（D）成分の比は、９９．５：０．５〜７５：２５が好ましく、９９：１〜８０：２０がさらに好ましい。
【００２１】
また、成分（A）の総配合量は、洗浄剤組成物の剤型により異なるが、液状洗浄剤の場合３〜５０重量％、ペースト状洗浄剤の場合１０〜７０重量％、固形洗浄剤の場合、４０〜９５重量％、粉末状洗浄剤の場合５〜７０重量％であることが好ましい。
【００２２】
本発明の洗浄剤組成物は、上述の必須成分の他に通常の化粧料、医薬部外品等に用いられる各種任意成分を、本発明の効果を阻害しない程度に適宜配合することができる。具体的には、油剤、界面活性剤、増粘剤、防腐剤、香料、紫外線吸収剤、保湿剤、生理活性成分、酸化防止剤、抗炎症剤、抗菌剤、制汗剤、キレート剤、中和剤、pH調整剤等の成分であり、洗浄剤や化粧料の具体的用途や剤形態に応じて配合することができる。
【００２３】
本発明の洗浄剤組成物は常法により製造され、液状、ペースト状、ジェル状、粉末状、固形状等の剤型とすることができ、皮膚又は毛髪等の化粧料として適するものである。
【００２４】
本発明の洗浄剤組成物の用途は、特に限定されるものではないが、種々の化粧料を提供することができる。例えば、化粧石鹸、洗顔料(クリーム・ぺースト状、液・ジェル状、エアゾール使用など)、シャンプー、メイク落とし、クレンジング料などの清浄用化粧品、ヘアトリートメント剤(クリーム状、ミスト状、オイル状、ジェル状その他の形態の物および枝毛コート剤を含む)、)、ひげ剃り用クリーム(アフターシェービングクリーム、シェービングクリームなど)などの基礎化粧品などが挙げられる。洗浄力、泡性能、使用感が優れているという観点で、清浄用化粧品、頭髪用化粧品としての応用が好ましい。
【実施例】
【００２５】
以下、実施例により本発明を詳細に説明するが、本発明は下記の実施例により限定されるものではない。
【００２６】
実施例１〜実施例３：
下記の表１記載の配合組成よりなる洗浄剤組成物を調製し、これらの洗浄剤組成物について、５名の専門パネラーによる皮膚及びメイクした皮膚の洗浄評価を行い、泡量、泡保持力、洗浄力、使用感（泡立ちの速さ、すすぎの速さ、すすぎ後のさっぱり感、乾燥後のしっとり感）を下記方法及び基準に基づいて評価した。５名の評価点の平均値を算出し、１点以上２点未満を×、２点以上３点未満を△、３点以上４点未満を○、４点以上５点以下を◎とした。その結果を下記の表１に示す。      
【００２７】
（泡量の評価）  
５点：非常に多い
４点：やや多い
３点：ふつう
２点：やや少ない
１点：少ない
【００２８】
（泡保持力の評価）  
５点：非常に保持力がある
４点：やや保持力がある
３点：ふつう
２点：やや保持力がない
１点：保持力がない
【００２９】
（洗浄力の評価）  
５点：メイクが落ちた
４点：メイクがやや落ちた
３点：ふつう
２点：メイクがやや落ちない
１点：メイクが落ちない
【００３０】
（泡立ちの速さの評価）  
５点：非常に速い
４点：やや速い
３点：ふつう
２点：やや遅い
１点：遅い
【００３１】
（すすぎの速さの評価）  
５点：非常に速い
４点：やや速い
３点：ふつう
２点：やや遅い
１点：遅い
【００３２】
（すすぎ後のさっぱり感の評価）  
５点：非常に良い
４点：良い
３点：ふつう
２点：やや悪い
１点：悪い
【００３３】
（乾燥後のしっとり感の評価）  
５点：非常に良い
４点：良い
３点：ふつう
２点：やや悪い
１点：悪い
【００３４】
【表１】
2006077184.tif 000002
【００３５】
表１の結果から明らかなように、成分（A）N-長鎖アシル中性アミノ酸及び／又はその塩と成分（B）であるヒドロキシプロピルデンプンリン酸を含む洗浄剤組成物は、泡性能、洗浄力、使用感に優れることが分かった。また、成分（C）である脂肪酸を含むことにより泡立ちの速さが向上し、さらに成分（D）であるアシル酸性アミノ酸エステルを含むことにより、洗浄後のしっとり感を付与できることが分かった。
【００３６】
処方例１〜４
下記表２〜５に示す処方で常法に従って得られる洗顔フォーム（処方例１）、洗顔パウダー（処方例２）、液体洗顔料（処方例３）、洗顔フォーム（処方例４）はいずれも泡立ち、泡保持力、洗浄力、使用感に優れるものであった。なお、各表に記載の各配合成分の量は（表中の数値）は組成物全体を１００とした時の重量分率（％）である。
【００３７】
【表２】
2006077184.tif 000003
【００３８】
【表３】
2006077184.tif 000004
【００３９】
【表４】
2006077184.tif 000005
【００４０】
【表５】
2006077184.tif 000006
【産業上の利用可能性】
【００４１】
Ｎ−長鎖アシルアミノ酸及び／又はその塩、特にＮ−長鎖アシル中性アミノ酸及び／又はその塩にヒドロキシプロピルデンプンリン酸を配合することにより、優れた洗浄力と泡性能を併せ持つ使用感の良い化粧料を提供できる。